【事件の表示】
　特許第２８７３６７４号「パチンコ機」の請求項１ないし８に係る特許に対する特許異議の申立てについて、次のとおり決定する。
【結　論】
　訂正を認める。
　特許第２８７３６７４号の請求項１ないし２に係る特許を維持する。
【理　由】
１．手続の経緯
　特許第２８７３６７４号に係る発明についての出願は、平成７年７月４日に特許出願され、平成１１年１月１４日にその特許の設定登録がなされ、その後特許異議申立人金谷昭三により、特許異議の申立てがなされ、平成１２年２月９日付けで取消理由通知がなされ、その指定期間内である平成１２年４月２１日に訂正請求がなされたものである。
　
２．訂正の適否についての判断
２−１．訂正の内容
訂正事項ａ　
　特許明細書の特許請求の範囲の請求項１を削除する。　
訂正事項ｂ　
　　特許明細書の特許請求の範囲の請求項２の
　「前記図柄制御手段の図柄制御内容が、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄を、それ以前の表示作動とは区別される特異なリーチ予見表示作動で変動させるものであることを特徴とする請求項１記載のパチンコ機。」を
　「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したものであり、さらには、前記図柄制御手段の図柄制御内容が、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄を、それ以前の表示作動とは区別される特異なリーチ予見表示作動で変動させるものであることを特徴とするパチンコ機。」と訂正し、請求項１とする。
訂正事項ｃ　
　特許明細書の特許請求の範囲の請求項３の
　「前記図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なリーチ予見表示作動で変動させるものであることを特徴とする請求項１記載のパチンコ機。」を
　「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したものであり、さらには、前記図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なり一チ予見表示作動で変動させるものであることを特徴とするパチンコ機。」と訂正し、請求項２とする。
訂正事項ｄ
　特許明細書の特許請求の範囲、請求項４ないし８を削除する。
訂正事項ｅ
　【０００７】欄の記載、　　　　　　　　　　　　　　　　　　　　　　　「【課題を解決するための手段】
　本発明は、上述の図柄表示装置を備えたパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したことを特徴とするものである。ここで、リーチ状態の図柄表示態様を構成する図柄表示部とは、後述する実施例において、図柄表示部Ａ，Ｂに相当するものである。尚、図柄表示部Ｃも追従してリーチ予見表示作動をする場合を排除するものではない。」を、
　「【課題を解決するための手段】
　本発明は、上述の図柄表示装置を備えたパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一万、実行されても必ずしもリーチ状態とはならないように制御したことを要旨とするものである。ここで、リーチ状態の図柄表示態様を構成する図柄表示部とは、後述する実施例において、図柄表示部Ａ，Ｂに相当するものである。尚、図柄表示部Ｃも追従してリーチ予見表示作動をする場合を排除するものではない。」と訂正する。
訂正事項ｆ                                                            【０００８】欄の記載、
　「ここで遊技者に、リーチ予見表示作動が発生すると、リーチ状態となる可能性が高いと感じさせるためには、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄をリーチ予見表示作動で変動させるようにすればよい。」を、
　「さらに本発明にあっては、遊技者に、リーチ予見表示作動が発生すると、リーチ状態となる可能性が高いと感じさせるために、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄をリーチ予見表示作動で変動させるようにしている。」と訂正する。
訂正事項ｇ
　【０００９】欄の記載、　　　　　　　　　　　　　　　　　　　　　　　　「または、リーチ状態となる場合、及びリーチ状態とならない場合にあってリーチ予見乱数からの抽選により予見表示すべきものと選択された場合に、所定図柄表示部の図柄をリーチ予見表示作動で変動させるようにすればよい。」を、
　「また、リーチ状態となる場合、及びリーチ状態とならない場合にあってリーチ予見乱数からの抽選により予見表示すべきものと選択された場合に、所定図柄表示部の図柄をリーチ予見表示作動で変動させるようにしている。」と訂正する。
　
２−２．訂正の目的の適否、新規事項の有無及び拡張・変更の存否
　上記訂正事項ａおよびｄは、請求項の削除であるから、特許請求の範囲の減縮に該当する。
　上記訂正事項ｂおよびｃは、特許明細書における請求項１を引用した引用形式の請求項２および３を、前記請求項１の削除に伴い、それぞれ独立請求項として請求項の番号を整えたものであるから、明りょうでない記載の釈明であると認められる。
　上記訂正事項ｅないしｇは、発明の詳細な説明の記載を特許請求の範囲の記載に整合させるためのものであって、明りょうでない記載の釈明に該当する。
　そして、これらの訂正事項は、いずれも願書に添付した明細書または図面に記載された事項の範囲内のものであって、実質上特許請求の範囲を拡張または変更するものではない。
　
２−３．独立特許要件の判断
（本件の請求項１および２に係る発明）
　本件の請求項１および２に係る発明は平成１２年４月２１日付け訂正請求書に添付された訂正明細書及び図面の記載からみて、その特許請求の範囲の請求項１および２に記載されたとおりのものである。
（対比・判断）
　特許請求の範囲に記載された本件発明に対して、当審が通知した平成１２年２月９日付けの取消理由は、特許査定時における請求項１および４ないし８に対するものであって、同請求項２および３には取消理由を認めなかった。
　そして、訂正により取消理由の対象であった請求項が全て削除されたため、訂正後の本件の請求項１および２（特許明細書における請求項２および３）に係る発明は、特許出願の際、独立して特許を受けることができるものである。
　
２−４．むすび
　以上のとおりであるから、上記訂正請求は、特許法第１２０条の４第２項及び同条第３項において準用する第１２６条第２−４の規定に適合するので、上記訂正を認める。
　
３．特許異議の申立てについての判断
３−１．本件の請求項１に係る発明
　本件の請求項１および２に係る発明は平成１２年４月２１日付け訂正請求書により訂正された訂正明細書と図面の記載からみて、その特許請求の範囲の請求項１および２に記載された次のとおりのものである。
　「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したものであり、さらには、前記図柄制御手段の図柄制御内容が、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄を、それ以前の表示作動とは区別される特異なリーチ予見表示作動で変動させるものであることを特徴とするパチンコ機。」（以下「本件発明１」という）
　「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したものであり、さらには、前記図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なり一チ予見表示作動で変動させるものであることを特徴とするパチンコ機。」（以下「本件発明２」という）
　
３−２．特許異議申立人金谷昭三の特許異議申立について　
３−２−１．異議申立の概要と証拠
　特許異議申立人金谷昭三は、本件の請求項１ないし３、および５に係る発明は、甲第１号証および甲第２号証に記載された発明に基づいて当業者が容易に発明をすることができたものであり、請求項４、および６ないし８に係る発明は、甲第１号証ないし甲第３号証に記載された発明に基づいて当業者が容易に発明をすることができたものであるとし、特許法第２９条第２項の規定により特許を受けることができないものであるから、特許法第１１３条第１項第２号の規定により特許を取り消すべきと主張している。
　
甲第１号証：特開平５−１５４２４０号公報
甲第２号証：特開平３−７５０７８号公報
甲第３号証：特開平６−３０４３１３号公報
　甲第１号証には、
　「図１は、遊技機の一例のパチンコ遊技機の遊技盤面を示す正面図である。遊技者が図示しない打球操作ハンドルを操作すれば、打球待機樋（図示せず）に貯留されているパチンコ玉が１つずつ遊技盤１の前面に形成されている遊技領域２内に打込まれる。遊技領域２には、複数種類の識別情報を可変表示可能な可変表示装置３が設けられているとともに、始動入賞口１０ａ，１０ｂ，１０ｃが設けられている。これらそれぞれの始動入賞口１０ａ，１０ｂ，１０ｃ内に入賞したパチンコ玉は、それぞれに、始動入賞玉検出器１１ａ，１１ｂ，１１ｃにより検出される。その始動入賞玉検出器の検出信号に基づいて、前記可変表示装置３の可変表示部の一列としての各図柄表示部３ａ，３ｂ，３ｃが可変開始される。そして、所定時間の経過に基づいてまず左図柄表示部３ａが停止し、その後中図柄表示部３ｂが停止し、最後に右図柄表示部３ｃが停止し、停止時の表示結果が予め定められた特定の識別情報（たとえば７７７）になれば、可変入賞球装置４の開閉板５を開成させて遊技者にとって有利な第１の状態とし所定の遊技価値が付与可能な状態にする。左、中図柄表示部３ａ，３ｂが停止した時点で特定の識別情報の組合せとなる条件（たとえば左，中図柄が７７）を満たしている場合に、この表示状態をリーチ状態（所定表示状態）と呼ぶ。」（第３頁左欄第４６行〜右欄第１８行）
　「少なくとも左図柄と中図柄とが同じ種類の大当り図柄であった場合にはリーチ状態が成立するのであり、その場合は、予め定められている回転量（後述の回転増カウンタに記憶されている）だけ一定速でゆっくり各ドラムを回転させて後、ひき続き１０ｍｓｅｃ／ステップの一定速の停止制御に移行してドラム３１ａ〜ｃのドラムポジションが停止図柄に一致した時点で停止制御される。」（第５頁左欄第１７行〜第２４行）
　「左ドラムと中ドラムとが停止した状態でリーチ状態となる場合には、左ドラムが停止した時点で中ドラムと右ドラムとがゆっくり回転するように制御される。」（第１４頁左欄第２６行〜第２９行）と、記載されている。　
　甲第２号証には、
　「第１図は、弾球遊技機の一例のパチンコ遊技機を示す全体正面図である。…遊技領域１３には、そのほぼ中央に可変表示装置１４が設けられているとともに、その下方に可変入賞球装置２０が配設されている。可変表示装置１４には、複数種類の識別情報を可変表示できる識別情報表示部１５ａ，１５ｂ，１５ｃが設けられている。そして遊技領域１３に形成されている始動入賞口２７ａ，２７ｂ，２７ｃのいずれかにパチンコ玉が入賞することにより最大４個まで始動入賞記憶が行なわれ、始動入賞記憶のあることに基づいて、識別情報表示部１５ａ、１５ｂ、１５ｃが可変表示を開始し、…そして、停止したときの可変表示装置１４による表示結果が予め定める特定の組合わせ（特定の識別情報）になれば、大当りとなり可変入賞球装置２０の開閉板２２を開成して遊技者にとって有利となる第１の状態に駆動制御される。」（第３頁左上欄第１２行〜左下欄第５行）、
　「特定の識別情報が表示される予定となっている回の可変表示中に、前記特定の識別情報が表示されることを遊技者に事前に報知するための事前報知手段が構成されている。」（第８頁左上欄第２０行〜右上欄第３行）、
　「「前兆パターン図柄データ」は、大当りの発生の可能性が高まったことを遊技者に報知するための可変表示装置の図柄に関するデータであり」（第１５頁右上欄第３行〜第６行）
　「前兆報知手段により前兆が報知された場合または事前報知手段により報知が行なわれた場合に、必ず大当りが発生するのではなく、中当りや小当りとなり大当りが発生しない場合や、可変表示装置である定められた停止図柄で予告する場合において、偶然にその停止図柄になった場合のように全く大当りや中当りさらには小当りにならない場合が生ずる」（第１６頁右下欄第８行〜第１５行）と、記載されている。
　甲第３号証には、
　「図１は、本発明にかかる遊技機の一例のパチンコ遊技機の遊技盤面を示す正面図である。遊技者が図示しない打球操作ハンドルを操作すれば、打球待機樋（図示せず）に貯留されているパチンコ玉が１つずつ遊技盤１の前面に形成されている遊技領域２内に打込まれる。遊技領域２には、複数種類の識別情報を可変表示可能な回転ドラムを用いた可変表示装置３が設けられているとともに、始動口１０が設けられている。これら始動口１０内に入賞したパチンコ玉は、それぞれ始動入賞玉検出器（始動口スイッチ）１１により検出される。始動口スイッチの検出信号に基づき、可変表示装置３の各図柄表示部が可変開始される。」（第３頁左欄第４３行〜右欄第４行）
　「停止時の表示結果が予め定められた特定の表示態様の組み合わせになれば、可変入賞球装置１２の開閉板１４を開成させて遊技者にとって有利な第１の状態とし所定の遊技価値が付与可能な状態にする。左、右図柄が停止した時点で特定の表示状態の組合わせとなる条件を満たしていれば、これをリーチ状態と呼ぶ。」（第３頁右欄第２１行〜第２６行）
　「図５の（ａ）〜（ｄ）はリーチの事前報知を示す。まず、可変表示装置３が可変開始されてすべての回転ドラム４ａ，４ｂ，４ｃが回転している状態が（ａ）に示されている。そして、まず左回転ドラム４ａが停止するのであるが、その停止する際に、（ｂ）に示すように、１図柄未満の範囲内で予定停止位置（図面では「７」が横方向中段の当りラインに停止する位置）を通過させた後、左回転ドラム４ａを逆転させて予定停止位置に戻す。その後、右回転ドラム４ｃが（ｃ）に示すように停止してリーチ状態が発生し、最後に中回転ドラム４ｂが（ｄ）に示すように停止する。」（第６頁左欄第３０行〜第４０行）と、記載されている。
　　
３−２−２．判断
  しかしながら、上記甲第１号証ないし甲第３号証には、本件発明１の構成要件である、
  「図柄制御手段の図柄制御内容が、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄を、それ以前の表示作動とは区別される特異なリーチ予見表示作動で変動させる」点、および本件発明２の構成要件である、
  「図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なり一チ予見表示作動で変動させる」点についての記載がなく、示唆もされない。
　そして、本件発明１および２のものは、「リーチ予見表示作動の発生頻度は、大当たりに対する予見頻度よりも高いから、図柄変動中における遊技者の期待感を高頻度で刺激し得ることとなり、図柄表示装置の有用性をさらに高め、パチンコ遊技の興趣を増大し得る」という明細書記載の優れた効果を奏するものである。
　したがって、本件発明１および２は甲第１号証ないし甲第３号証に記載された発明に基づいて当業者が容易に発明をすることができたものではない。
  なお、異議申立人は本件発明１（旧請求項２）に関して、本件発明１における「近隣位置」が、甲第１号証の「リーチ予見動作として、左ドラムが停止時点で隣接位置にある中ドラムをゆっくり回転させること」に対応すると主張しているが、本件発明１における「近隣位置」とは、一つのドラム上に表示させる図柄列の隣接関係のことであるから、当該主張は当を得ないものである。
　さらに、異議申立人は本件発明２（旧請求項３）に関して、本件発明２における「図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なリーチ予見表示作動で変動させる」が、甲第１号証の「リーチ予告乱数からの抽選に相当する２次抽選の結果当りと判断された場合に、リーチ予見動作（左ドラムが停止した時点で中ドラムと右ドラムとをゆっくり回転させる）を行うこと」に対応すると主張しているが、本件発明２のリーチ予見動作は、図柄制御手段の図柄制御内容が、リーチ状態となる場合、及びリーチ状態とならない場合の両方の場合に対するものであるため、リーチ状態となる場合のみを対象とする甲第１号証のものとは異なる。よって、当該主張も当を得ないものである。
　
３−３．むすび
　したがって、特許異議申立ての理由及び証拠によっては、本件の請求項１および２に係る発明の特許を取り消すことはできない。
　また、他に本件の請求項１および２に係る発明の特許を取り消すべき理由を発見しない。
　よって、結論のとおり決定する。
【異議決定日】
平成１２年１２月１１日（２０００．１２．１１）
【訂正の要旨】
訂正の要旨
訂正事項ａ
　特許公報の特許請求の範囲の請求項１を削除する。
訂正事項ｂ
　特許公報の特許請求の範囲の請求項２の
　「前記図柄制御手段の図柄制御内容が、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄を、それ以前の表示作動とは区別される特異なリーチ予見表示作動で変動させるものであることを特徴とする請求項１記載のパチンコ機。」を
　「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したものであり、さらには、前記図柄制御手段の図柄制御内容が、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄を、それ以前の表示作動とは区別される特異なリーチ予見表示作動で変動させるものであることを特徴とするパチンコ機。」と訂正し、請求項１とする。
訂正事項ｃ
　特許公報の特許請求の範囲の請求項３の
　「前記図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なリーチ予見表示作動で変動させるものであることを特徴とする請求項１記載のパチンコ機。」を
　「予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したものであり、さらには、前記図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なり一チ予見表示作動で変動させるものであることを特徴とするパチンコ機。」と訂正し、請求項２とする。
訂正事項ｄ
　特許公報の特許請求の範囲、請求項４ないし８を削除する。
訂正事項ｅ
　【０００７】欄の記載、
　「【課題を解決するための手段】
　本発明は、上述の図柄表示装置を備えたパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したことを特徴とするものである。ここで、リーチ状態の図柄表示態様を構成する図柄表示部とは、後述する実施例において、図柄表示部Ａ，Ｂに相当するものである。尚、図柄表示部Ｃも追従してリーチ予見表示作動をする場合を排除するものではない。」を、
　「【課題を解決するための手段】
　本発明は、上述の図柄表示装置を備えたパチンコ機において、前記図柄制御手段により、各図柄表示部によってリーチ状態発生如何が示される前に、所定条件が充足されると、いずれか若し〈は全ての図柄表示部の図柄を、それ以前の表示作動とは区別される特異な作動からなるリーチ予見表示作動で変動させると共に、該リーチ予見表示作動はリーチ状態となる場合は必ず実行される一万、実行されても必ずしもリーチ状態とはならないように制御したことを要旨とするものである。ここで、リーチ状態の図柄表示態様を構成する図柄表示部とは、後述する実施例において、図柄表示部Ａ，Ｂに相当するものである。尚、図柄表示部Ｃも追従してリーチ予見表示作動をする場合を排除するものではない。」と訂正する。
訂正事項ｆ
　【０００８】欄の記載、
　「ここで遊技者に、リーチ予見表示作動が発生すると、リーチ状態となる可能性が高いと感じさせるためには、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄をリーチ予見表示作動で変動させるようにすればよい。」を、
　「さらに本発明にあっては、遊技者に、リーチ予見表示作動が発生すると、リーチ状態となる可能性が高いと感じさせるために、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄をリーチ予見表示作動で変動させるようにしている。」と訂正する。
訂正事項ｇ
　【０００９】欄の記載、
　「または、リーチ状態となる場合、及びリーチ状態とならない場合にあってリーチ予見乱数からの抽選により予見表示すべきものと選択された場合に、所定図柄表示部の図柄をリーチ予見表示作動で変動させるようにすればよい。」を、
　「また、リーチ状態となる場合、及びリーチ状態とならない場合にあってリーチ予見乱数からの抽選により予見表示すべきものと選択された場合に、所定図柄表示部の図柄をリーチ予見表示作動で変動させるようにしている。」と訂正する。
（５４）【発明の名称】
パチンコ機
（５７）【特許請求の範囲】
　　【請求項１】　予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、
　前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御した
ものであり、
　
さらには、前記図柄制御手段の図柄制御内容が、リーチ状態となる場合、及びリーチ状態とならない場合にあっては、リーチ状態発生如何の最終表示をすることとなる図柄表示部の表示図柄の順位が、図柄順列にあってリーチ状態となる図柄の近隣位置にある図柄である場合に、所定図柄表示部の図柄を、それ以前の表示作動とは区別される特異なリーチ予見表示作動で変動させるものであることを特徴とするパチンコ機。
　　
【請求項２】　予め定められた種々の図柄を変動表示する複数の図柄表示部を備えた図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、遊技者にとって種々の利益ある作動を発生させるパチンコ機において、
　
前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、該リーチ予見表示作動はリーチ状態となる場合は必ず実行される一方、実行されても必ずしもリーチ状態とはならないように制御したものであり、
　
さらには、前記図柄制御手段の図柄制御内容が、リーチ状態となる場合、及びリーチ状態とならない場合にあってリーチ予告乱数からの抽選により予見表示すべきものと選択された場合に、所定図柄表示部の図柄を、それ以前の表示作動とは区別される特異なリーチ予見表示作動で変動させるものであることを特徴とするパチンコ機。
【発明の詳細な説明】
　　　【０００１】
　　【産業上の利用分野】
　本発明は、所定の図柄の組合わせにより所定の利益ある作動を生じさせる図柄表示装置を備えたパチンコ機に関するものである。
　　　【０００２】
　　【従来の技術】
　予め定められた種々の図柄を変動表示する複数の図柄表示部からなる図柄表示装置と、球検知装置を備えた始動口を遊技球が通過すると、球検知装置からの球検知信号に基づいて図柄表示部の表示図柄を変動開始し、停止して図柄確定する図柄制御手段とを備え、各図柄表示部の停止図柄が所定の組み合わせであると、大入賞口を開放作動させる等の遊技者にとって種々の利益ある作動を発生させるようにしたパチンコ機は、種々提案されている。尚、ここで始動口としては、入賞の伴わないゲート型のもの、機裏に流下させて入賞球とするものがある。
　【０００３】
　【発明が解決しようとする課題】
　上述のパチンコ機にあって、リーチ状態の場合に、その最後の図柄表示部を、低速スクロールさせたり、スピーカ及びランプを駆動開始して、効果音，効果光を発生させる等、種々の大当たり予告作動を生じさせて、大当たりへの期待感を高めるようにしたパチンコ機は種々提案されている。ここでリーチ状態とは、最後に停止する図柄表示部以外の各図柄表示部が、当たりとなるための条件を満足している場合をいう。これは、同一図柄のみではなく、オールマイティ図柄を含んでいるような大当たり状態の直前の図柄組み合わせも含むものである。
　　　【０００４】
　しかしながら、かかる構成は、リーチになってから、図柄表示確定に至るまでの演出であるので、その期待感を高揚し得る期間が短く、また発生頻度も少ない。
　　　【０００５】
　一方、大当たりの前提となるリーチ状態に対する期待感を高め得る構成を備えたパチンコ機は提案されていない。しかるに、リーチ状態は大当たりへのステップとしての意義を有するものであるから、このリーチ状態への期待感を高揚させることにより、パチンコ遊技の興趣を一層高め得ることが期待され得る。
　　　【０００６】
　本発明は、かかる観点にたって、興趣溢れる斬新な図柄変動態様を備えたパチンコ機を提供することを目的とするものである。
　　　【０００７】
　　【課題を解決するための手段】
　本発明は、上述の図柄表示装置を備えたパチンコ機において、前記図柄制御手段により、各図柄表示部によってリーチ状態発生如何が示される前に、所定条件が充足されると、いずれか若しくは全ての図柄表示部の図柄を、それ以前の表示作動とは区別される特異な作動からなるリーチ予見表示作動で変動させると共に、
該
要旨
　　　【０００８】
　
さらに本発明にあっては、
、
している。
　　　【０００９】
　
また、
している。
　　　【００１０】
　これにより、リーチ状態には必ずリーチ予見表示作動となることから、リーチ予見表示作動となるとリーチ状態を条件反射的に期待することとなる。
　　　【００１１】
　前記リーチ予見表示作動としては、それ以前の表示作動のときの図柄のスクロール方向と異なった方向にスクロールする作動態様、それ以前の表示作動のときの図柄のスクロール速度と異なった速度でスクロールする作動態様、さらには、その表出される図柄を、最初は小さく表示し、これを急速に拡大させて停止する浮上表示形態を一回又は連続して複数回実行する作動態様等が提案され得る。
　　　【００１２】
　さらに前記リーチ予見表示作動としては、当たりハズレを決定するための図柄とは異なるリーチ予見図柄を表出させる作動態様も提案され得る。このリーチ予見図柄としては、「吉」，「福」，「寿」等といった縁起の良い文字図柄、「花火」，「打出の小づち」，「星」等の絵図柄、動画等が提案され得る。この場合にあって、リーチ予見表示作動とはリーチ予見図柄が瞬間的又は比較的長い時間に表示される一連の表示作動を意味することとなる。このリーチ予見図柄は、図柄表示装置の表示画面中の図柄表示部以外の領域に表出させるようにしても良い。
　　　【００１３】
　　【作用】
　所定条件の充足にともない、所定の図柄表示部の図柄がリーチ予見表示作動で変動することとすると、かかるリーチ予見表示作動の発生により、遊技者はリーチ状態に対する期待感を抱く。このリーチ予見表示作動は従来の大当たりになるときのリーチの発生回数に較べて、比較的頻繁に発生するから、図柄変動に対する注視を常に促すこととなり、かつ大当たりに至る期待感を、早いうちから高揚させ得ることとなる。
　　　【００１４】
　　【発明の実施の形態】
　添付図面について本発明の一実施例を説明する。
　図１は、パチンコ機１の遊技領域３の正面図であって、その遊技領域３の盤面中央には、図２で拡大して示すように装着ケース（図示せず）の前部に固定されたセンターケース４が配設され、該センターケース４内に図柄表示装置６が設けられる。この図柄表示装置６は横方向に並ぶ三つの図柄表示部Ａ，Ｂ，Ｃを画面上に備える。この図柄表示部Ａ，Ｂ，Ｃを表示する画面は液晶表示器，ドットマトリックス表示器又はＣＲＴにより構成され得る。
　　　【００１５】
　またセンターケース４の窓孔５下には四個のパイロットランプからなる始動記憶数表示装置１１が設けられ、さらに窓孔５上には、三つのＬＥＤによって構成される普通図柄表示部１０が配設される。
　　　【００１６】
　前記図柄表示部Ａ，Ｂ，Ｃは、図４で示すように「０」〜「９」等、数字及びアルファベット，絵図柄等からなる当たりハズレを決定する図柄の順列が順次変動表示され、普通図柄表示部１０はその点灯状態の組み合わせよりなる種々の表示態様が変動表示される。
　　　【００１７】
　また、センターケース４の両側には、光電スイッチ、リミットスイッチ等により構成される球検知装置（図示せず）を備えた始動ゲート１３，１３が設けられ、遊技球の通過により該球検知装置による球検知信号が発生すると、普通図柄表示部１０が変動し、その停止状態が全点灯のとき、センターケース４の直下位置に配設した普通電動役物１５の開閉翼片対１６，１６が約５．８秒間開放するようにしている。
　　　【００１８】
　この普通電動役物１５はその上部を始動口１４として、図柄表示装置６を駆動して表示部Ａ，Ｂ，Ｃを図柄変動表示するものとして設けられているものであり、その開閉翼片対１６，１６の起立状態で、始動口１４からの遊技球の落入のみを有効とする閉鎖位置と、開閉翼片対１６，１６が逆八形傾動してその側方をも始動口とし、内部へ遊技球を案内する開放位置とに電気的駆動手段を介して変換制御されるものである。
　　　【００１９】
　そして前記普通電動役物１５内の玉流路には光電スイッチ、リミットスイッチ等により構成される球検知スイッチが備えられ、該球検知スイッチによる玉通過検知に伴って、図柄表示装置６を駆動すると共に、連続的に通過した場合には、始動記憶数表示装置１１が順次点灯し最高四回まで保留される。またこの作動と共に、遊技球の通過に伴って所定数の景品球が提供される。
　　　【００２０】
　前記普通電動役物１５のさらに下方には、幅広の大入賞口２３を備えた入賞装置２２が配設されている。この入賞装置２２は、蓋体２４をソレノイドで前後方向に開放することにより、該蓋体２４の案内作用によって、大入賞口２３に遊技球を案内する公知構成からなり、前記大入賞口２３の中央部を特定領域２３ａとして、後述するように該特定領域２３ａに遊技球が入ると、連続開放作動を生ずるようにしている。
　　　【００２１】
　次に図柄表示装置６の作動につき説明する。
　　　【００２２】
　前記始動口１４又は開放された普通電動役物１５の側方から遊技球が流入すると、景品球の供給と共に図柄表示装置６が駆動する。尚、連続的に通過した場合には、上述のように始動記憶数表示装置１１が順次点灯し最高四回まで保留される。そして図柄表示装置６が駆動すると、図柄表示部Ａ，Ｂ，Ｃは図４の図柄順列に従って図柄変動を開始し、約５秒程度経過すると、図柄表示部Ａ，Ｂ，Ｃの順番に図柄変動が停止する。
　　　【００２３】
　この図柄表示部Ａ，Ｂ，Ｃの図柄変動は、図５で示す中央制御装置ＣＰＵ等からなるマイクロコンピュータにより構成される図柄制御手段で制御される。かかる図柄制御につき説明する。
　　　【００２４】
　図柄表示部Ａ，Ｂ，Ｃは、上述した始動口１４又は開放された普通電動役物１５への遊技球の流入に起因して、記憶消化とともに夫々図４で示す各図柄順列に従って下方ヘスクロールする。そして次の経緯により図柄表示部Ａ，Ｂ，Ｃの順次で図柄が確定表示される。
　　　【００２５】
　ここで図３で示すように、中央制御装置ＣＰＵに接続された記憶装置ＲＯＭには、０〜２０４のコマからなり、例えば「７」を当たりとする当たり特別乱数Ｋ（図５イ）と、該当たり特別乱数Ｋの結果により選定される当たり特別図柄乱数Ｌ（図５ロ）と、ハズレ特別図柄乱数Ｍ１，Ｍ２，Ｍ３（図５ハ）と、リーチ
予見
　　　【００２６】
　そして、始動口１４を玉が通過すると、乱数列Ｋを選定する。そして、この値がＫ＝７の場合には、図柄表示部Ａ，Ｂ，Ｃが変動すると、図５ロで示す特別図柄乱数Ｌから値を選出して、当たり図柄を決定すると共に、図柄表示部Ａ，Ｂを順次循環変動して停止させ、同一図柄とする。
　　　【００２７】
　このときその経過で必ず、リーチ状態となる。そこで、図柄表示部Ａが停止した後に、図柄表示部Ｂ，Ｃを上から下へのスクロールであるそれ以前の表示作動とは区別される特異なリーチ予見表示作動で変動させ、リーチ状態に対する遊技者の期待感を高揚させる。このリーチ予見表示作動態様の詳細は後述する。
　　　【００２８】
　そのリーチ予見表示作動終了後、図柄表示部Ｂを停止させ、リーチ状態とする。さらには、このリーチ状態の確定後も、図柄表示部Ｃを上述と同じ予見表示作動を続行させたり、またはこれとも異なった特異な大当たり予見表示作動を生じさせることにより、今度は大当たりへの期待感を高揚させる。そして、図柄表示部Ｃの停止にともない、所定の大当たり作動を開始させる。
　　　【００２９】
　すなわち図柄表示部Ｃが図柄停止して図柄表示部Ａ，Ｂ，Ｃが例えば「１，１，１」、「２，２，２」、「３，３，３」、「４，４，４」等、数字，アルファベット又は絵図柄からなる図柄が同一となり、「大当たり」となって報知装置がファンファーレを発すると共に、入賞装置２２のソレノイドが駆動して、蓋体２４が前方に傾動して大入賞口２３が開放し、約１０個の遊技球が入賞するか、所定時間が経過するまで開放を行う。この大入賞口２３にあっては、特定領域２３ａを通過した時は、連続駆動し、その開放動作終了後に再び大入賞口２３が解放する。この連続作動の回数は、初回開放を含め最高１６回までとする。
　　　【００３０】
　一方、Ｋ≠７の場合には、ハズレ特別図柄乱数Ｍ１，Ｍ２，Ｍ３を順次選出し、図柄表示部Ａ，Ｂ，Ｃをハズレ表示する。この時、ハズレ特別図柄乱数Ｍ１，Ｍ２，Ｍ３を選出して得られた図柄が当たり図柄の場合には、再抽選して図柄表示部Ａ，Ｂ，Ｃが必ずハズレとなるようにする。
　　　【００３１】
　ここでハズレ特別図柄乱数Ｍ１，Ｍ２の選出値が等しい場合には、リーチ状態の図柄表示態様を構成する図柄表示部Ａ，Ｂが同一図柄となりリーチ状態となる。そこで、この場合には、図柄表示部Ａが停止した後に、図柄表示部Ｂ，Ｃをリーチ予見表示作動で変動させ、リーチ状態に対する遊技者の期待感を高揚させる。そして図柄表示部Ｂの停止により、リーチ状態とし、図柄表示部Ｃをそのまま
予見
　　　【００３２】
　また、ハズレ特別図柄乱数Ｍ１，Ｍ２の選出値が等しくない場合には、リーチ予見乱数Ｎを抽選し、その結果により、通常の作動とする場合と、リーチ予見表示作動とする場合に選択する。この場合には、リーチ予見表示作動があったとしても、図柄表示部Ａ，Ｂは一致せず、リーチ状態とはならない。このリーチ予見乱数Ｎのコマ数は適宜に設定されるが、リーチ予見表示作動の発生頻度が、たとえば、２０％〜８０％等、遊技者にリーチを期待させるに足る適正な割合であることが望まれる。
　　　【００３３】
　このような、表示過程により、リーチ状態となる前には、必ず図柄表示部Ｂ，Ｃはリーチ予見表示作動により変動する。一方、リーチ予見表示作動があっても、必ずしもリーチ状態とはならない。従って、リーチ予見表示作動があると、不確実ながらも、リーチ状態の可能性が高いと、遊技者は認識することとなり、図柄表示部Ｂの確定により、一喜一憂することとなる。しかもこのリーチ予見表示作動の発生頻度は、従来のリーチ状態により発生する大当たりへのリーチ予見表示作動の頻度よりも高いから、図柄変動中における遊技者の期待感を高頻度で刺激し得ることとなる。
　　　【００３４】
　上述の構成では、リーチでないときのリーチ予見表示作動の発生を、リーチ予見乱数Ｎの抽選により行なったが、このリーチ予見乱数Ｎを用いないで、リーチ状態発生如何の最終表示をすることとなる図柄表示部Ｂの表示図柄が、図４で示す図柄順列にあって図柄表示部Ａの表示図柄の近隣位置にある図柄である場合に、リーチ予見表示作動を行なうようにしても良い。例えば乱数値（図５ハの上段数字）がＢ＝Ａ±１の関係にある場合にリーチ予見表示作動を行なうようにしても良い。このようにすることによって、リーチ予見表示作動と、その結果との間に違和感がないという利点がある。
　　　【００３５】
　ここで、図柄表示部Ａ，Ｂが１５図柄、図柄表示部Ｃが１８図柄とすると、図柄上の確率からは、リーチは、２７０／４０５０の頻度で発生し、Ｂ＝Ａ±１の関係は、５４０／４０５０の頻度で発生し、リーチ予見表示作動が発生する割合は、８１０／４０５０となる。また、この関係から、リーチとなる確率は、２７０／８１０となり１／３回となる。而して、このリーチ予見表示作動の発生頻度は、遊技者にリーチを期待させるに足る適正な割合であるということができる。
　　　【００３６】
　更に、このリーチ予見表示作動に対するリーチの発生率を向上させるには、Ｂ＝Ａ±１の関係のうち、ｎコマ（例；６コマ）からなるリーチ予見乱数Ｎを設定し、そのうちあらかじめ定められた１コマが選択された場合に、リーチ予見をする等の手段が考えられる。この場合には、５４０／４０５０ｎの割合でリーチ予見表示作動が発生することとなる。従って、ｎ＝６とした場合にあっては、リーチ予見表示作動に対するリーチの発生数は３／４回となり、遊技者からみて、リーチ予見表示作動の信頼性が向上することとなる。
　　　【００３７】
　次に、リーチ予見表示作動態様につき説明する。
　　　【００３８】
　例１；図６イで示すように、図柄表示部Ａ，Ｂ，Ｃが通常は下方へ向けて一方向スクロールする場合に、リーチ予見表示作動では、異なった方向ヘスクロールさせる。このスクロール方向としては、上方へのスクロール，横方向へのスクロール，斜め方向へのスクロール等が提案され得る。図７は、図柄表示部Ｂ，Ｃの進行方向の変化を示すタイムチャート図である。この図で示すように、リーチ予見表示作動となると、図柄表示部Ｂ，Ｃを一旦低速とし、該低速を維持しながら、反対方向ヘスクロールさせ、順次停止させるようにしてもよい。このとき、リーチ状態となっても、リーチハズレとなっても、図柄表示部Ｃが停止するまで、図柄表示部Ｃをリーチ予見表示作動させるようにしても構わない。
　　　【００３９】
　さらには、図６口で示すように、図柄表示部Ａを中に位置させ、その両側に図柄表示部Ｂ，Ｃを配置した構成にあって、通常状態で、図柄表示部Ａを上向きにスクロールさせ、図柄表示部Ｂ，Ｃを外向きに横方向スクロールし、リーチ予見表示作動では、図柄表示部Ａの表示確定後に、図柄表示部Ｂ，Ｃを内向きに横方向スクロールさせるようにしても良い。
　　　【００４０】
　例２；リーチ予見表示作動の場合に、スクロール速度を変化させる。この変化態様としては、速度を低下させたり、速度を上げるという態様のほかに、速度に波を持たせたり、さらには、間欠移動させる等種々の速度変化態様が提案され得る。
　　　【００４１】
　例３；図８で示すように、最初は小さく表示し、これを急速に拡大させて停止する浮上表示形態で表示する。すなわち、この浮上表示形態にあって、図８で示すように、画面イから出発して画面チへ至るまで表示内容を高速で切り替へ、これにより図柄が確認不能または図柄の体をなさない程小さく表示された初期状態ｘから、大きく表示される最大状態ｙへと連続的かつ急速に変化するごとく見えるようにする。そして、この変化により、図柄が画面から図柄が立体的に浮き上がってくる印象を受ける。尚、この浮上表示形態への変換の際に、初期状態ｘを０．５秒程度一旦停止させてから、図柄を拡大作動させるようにしても良い。
　　　【００４２】
　上述の例では、浮上表示形態を一回だけ用いて、図柄を最大状態ｙで確定させるようにしたものであるが、この浮上表示形態を連続して発生させるようにしても良い。そして、この作動形態を複数回行なって後に、図柄を確定するようにする。この場合には、画面から連続的に文字が飛び出てくる印象を受け、動的な図柄変動を実現できることとなる。
　　　【００４３】
　例４；初期状態から、大きくなるにつれて徐々に回転させるようにし、あたかも螺旋状に浮き上がってくるような表示形態や、または吸い込まれるような表示形態としても良い。
　　　【００４４】
　例５；単一画面で、各図柄表示部Ａ，Ｂ，Ｃを表示する図柄表示器６を用いた場合には、図柄表示部Ｂを画面全体を用いて変動表示するようにしても良い。このように、図柄の表示面積を変えることによりリーチ予見表示作動を実現するようにしても良い。
　　　【００４５】
　上述した各例１〜５は、いづれも、図柄表示部Ｂまたは図柄表示部Ｃを例にとったものであるが、図柄表示部Ａが確定表示された後に、図柄表示部Ｃのみをリーチ予見表示作動させるようにしても良い。この場合に、リーチ状態が確定した後にはその作動を継続させるようにしても良い。これにより遊技者は、図柄表示部Ｃに対して、比較的長時間の間注視することとなる。さらには、所定条件が充足された場合にのみ、図柄表示部Ｃのみを、最初から、リーチ予見表示作動させるようにしても良い。
　　　【００４６】
　例６；図１０イ〜ニで示すように、当たりハズレを決定するための図柄とは異なる「吉」（図１０イ），「福」（図１０ロ）等の文字図柄からなるリーチ予見図柄ｘ、「花火」（図１０ハ），「打出の小づち」（図１０ニ）等の絵図柄からなるリーチ予見図柄ｙを表示するようにしても良い。
　　　【００４７】
　この場合に表示態様としては、図１１イ，ロ，ハの態様がある。この図では、各図柄表示部Ａ，Ｂ，Ｃに縦方向に３つの図柄を表示して、その組み合わせを三種の横方向、斜め方向で有効とするスロットマシン状の図柄表示態様を示すものであるが、単一の図柄を横一列に表示する表示態様であっても良い。
　　　【００４８】
　ここで図１１イは、図柄表示部Ａに、図柄順列に挿入して一回又は繰り返して表示するものである。または図柄順列とは別に、瞬間的に一〜複数回、挿入しても良い。図１２イ〜ニは、図１０イ〜ニを図柄表示部Ａの図柄順列に挿入した態様を詳細に示すものである。
　　　【００４９】
　また図１１ロは、変動中に図柄表示部Ａ，Ｂ，Ｃに瞬間的にリーチ予見図柄ｘ（ｙ）を表示するようにしたものである。
　　　【００５０】
　さらには、図ハは、その変動画面上にリーチ予見図柄ｘ，ｙを上書きしたものである。この表示は、例えば、変動図柄の地肌面にリーチ予見図柄ｘ，ｙを書き込む等の手法により、変動中でありながら、淡くリーチ予見図柄ｘ，ｙを表出し得ることとなる。
　　　【００５１】
　図柄表示部Ｃにリーチ予見図柄を表示しておくこともできる。この場合には、図柄表示部Ｂの変動表示を妨げず、比較的長い時間のリーチ予見図柄の表示が可能となり、「福」，「吉」，「寿」等のリーチ予見図柄ｘ，ｙが表示されたままの状態を維持しておくこともできる。
　　　【００５２】
　その他の表示態様としては、図１３で示すように、図柄表示装置６の画面上で、図柄表示部Ａ，Ｂ，Ｃ以外の領域ｓを用いて、リーチ予見図柄ｘ，ｙを表示するようにしても良い。
　　　【００５３】
　また、図柄表示部Ｂがリーチとならない場合には、図柄表示部Ｃに変動表示させることなく、又は「ザンネン」等の表示をした後に、次の回に移るようにしても良い。
　　　【００５４】
　さらには、リーチ予見図柄としては、動画を適用するようにしても良い。例えば、花火のさく裂をスポット的に表示するのではなく、絵柄の連続により、動的に表現するようにしても良い。又は、「吉」等の文字を前後に移動させたり、ブラッシングを生じさせるようにしても良い。
　　　【００５５】
　上述した例６の各表示態様にあって、リーチ予見表示作動とはリーチ予見図柄が短時間又は比較的長い時間に表示される一連の表示作動を意味することとなる。そして、この表示後に、再び通常の図柄が変動表示されて、図柄表示部Ｂの図柄が確定する。
　　　【００５６】
　例７；例１〜６を組み合わせても実行され得る。
　　　【００５７】
　また各例１〜７にあって、図柄表示部Ａが確定する前に、図柄表示部Ａ，Ｂ，Ｃの全て、または図柄表示部Ｃのみに限らず、そのいずれかをリーチ予見表示作動させるようにしても良い。すなわち例１〜６にあっては、図柄表示部Ａが変動中であっても、所定のリーチ予見表示作動を実行させればよく、例７にあっては、図柄表示部Ａ，Ｂ，Ｃのいずれかに突如としてリーチ予見図柄が瞬間的に表示されるようにしても良い。
　　　【００５８】
　図柄表示部Ａ，Ｂ，Ｃは、図柄変動前にマイクロコンピュータ内では既に決定されているから、このような制御も容易に行なうことができる。このように最初から全図柄表示部、又はそのいずれかの図柄表示部をリーチ予見表示作動させる態様にあっては、リーチ予見表示作動時間がさらに長くなり、遊技者の緊張感を長く保たせ得ることとなる。
　　　【００５９】
　上述の構成は、横方向に並んだ三つの図柄表示部Ａ，Ｂ，Ｃに適用したものであるが、図９のように、四以上の図柄表示部を備えたものにも適用できる。この場合にあっても、リーチ状態は最後に停止する図柄表示部以外の各図柄表示部の図柄が揃った状態として規定され得るものである。この場合に、周囲四つの図柄表示部のスクロール方向を定常状態では、外向き（内向き）とし、リーチ状態の可能性が高い場合には最初から内向き（外向き）とするようにしてもよく、これにより、変動ごとに画面全体に遊技者の注意が注がれることとなる。
　　　【００６０】
　上述の構成にあっては、大当たりとなるに際しては、リーチ予見表示作動が必ず発生することとなるのであるから、リーチ予見表示作動が生じない場合には、それ以降の図柄変動は、遊技者の関心を呼ぶものではない。そこで、リーチ予見表示作動がない場合には、図柄変動を直に停止するようにしても良い。これにより、遊技者にとって無用な結果待ち状態を回避することが可能となる。
　　　【００６１】
　　【発明の効果】
　本発明は、図柄表示装置を構成する図柄表示部のうちの所定図柄表示部を、それ以前の表示作動とは区別される特異なリーチ予見表示作動で変動させるようにしたから、リーチ状態への期待感を高揚させるという新たな期待感の発生を実現し得る共に、このリーチ予見表示作動の発生頻度は、大当たりに対する予見頻度よりも高いから、図柄変動中における遊技者の期待感を高頻度で刺激し得ることとなり、図柄表示装置の有用性をさらに高め、パチンコ遊技の興趣を増大し得ることとなる等の優れた効果がある。
【図面の簡単な説明】
　　【図１】
　本発明の遊技領域３を示す正面図である。
　　【図２】
　本発明の図柄表示装置６の拡大正面図である。
　　【図３】
　マイクロコンピュータを示すブロック回路図である。
　　【図４】
　図柄表示部Ａ，Ｂ，Ｃの図柄順列を示す絵図である。
　　【図５】
　図柄乱数図表である。
　　【図６】
　図柄表示部Ａ，Ｂ，Ｃのスクロール態様図である。
　　【図７】
　図柄表示部Ｂ，Ｃの進行方向の変化を示すタイムチャート図である。
　　【図８】
　浮上表示形態の一例を示す右から左への連続画面図である。
　　【図９】
　他の構成の図柄表示部の概念図である。
　　【図１０】
　リーチ予見図柄ｘ，ｙの例示図である。
　　【図１１】
　リーチ予見図柄ｘ，ｙの表示態様を示す図柄表示部Ａ，Ｂ，Ｃの表示画面の正面図である。
　　【図１２】
　リーチ予見図柄ｘ，ｙが挿入された図柄順列図である。
　　【図１３】
　図柄表示装置６の画面上の余白部ｓを用いて、リーチ予見図柄ｘ，ｙを表示した実施例である。
　　【符号の説明】
　１　パチンコ機
　６　図柄表示装置
　１４　始動口
　１５　普通電動役物
　２２　入賞装置
　２３　大入賞口
　Ａ，Ｂ，Ｃ　図柄表示部
　ｘ，ｙ　リーチ予見図柄